(57)【要約】      （修正有）【課題】弾性ブラジャーの快適性が悪いという問題と、フリーカット生地製ブラジャーが外力に弱くて変形しやすいという問題を同時に解決して、耐用年数を延ばして、着用の快適性を高めるブラジャー構造を提供する。【解決手段】ブラジャー構造は、外から内へ順次、２つの外層カップ１１を有する外層生地、２つの中間層カップ２１を有する弾性生地、２つの内層カップ４１を有する内層生地を含み、外層カップ連結部１２が接着剤で中間層カップ連結部２２の上方に接続され、中間層カップ連結部の下方が接着剤で内層カップ連結部４２に接続され、外層カップのエッジ部１３が接着剤で中間層カップのエッジ部２３の上表面に接続され、中間層カップのエッジ部の下表面が接着剤で内層カップのエッジ部４３に接続される。カップの中間部位で三層の生地が互いに独立し、引っ張りあうことがないので、着用感に優れる。【選択図】図２
0003219437.tif 000002
【実用新案登録請求の範囲】
【請求項１】
着用感に優れるブラジャー構造であって、
外から内へ順次外層生地、弾性生地、内層生地、外層生地を有する三層構造に分けられ、外層生地は、外層カップ連結部で離間されている２つの外層カップを有し、弾性生地は、中間層カップ連結部で離間されている２つの中間層カップを有し、内層生地は、内層カップ連結部で離間されている２つの内層カップを有し、外層カップ連結部が接着剤で中間層カップ連結部の上方に接続され、中間層カップ連結部の下方が接着剤で内層カップ連結部に接続され、外層カップのエッジ部が接着剤で中間層カップのエッジ部の上表面に接続され、中間層カップのエッジ部の下表面が接着剤で内層カップのエッジ部に接続されることを特徴とするブラジャー構造。
【請求項２】
前記外層生地は、保形性装飾生地を用いることを特徴とする請求項１に記載の着用感に優れるブラジャー構造。
【請求項３】
前記外層生地、内層生地はともにフリーカット生地を用いることを特徴とする請求項１に記載の着用感に優れるブラジャー構造。
【請求項４】
前記弾性生地には、複数の通気孔が密に分布していることを特徴とする請求項１に記載の着用感に優れるブラジャー構造。
【考案の詳細な説明】
【技術分野】
【０００１】
本考案はブラジャーに関し、具体的に、着用感に優れるブラジャー構造に関する。
【背景技術】
【０００２】
ブラジャーは乳房ホルダーとも呼ばれ、主に女性の胸部を支持して、乳房のたるみを防止したり、衣服を着用したときの美しさを強調する役割を果たす。ブラジャーは、種類が多いが、ワイヤ入りブラジャーとノンワイヤブラジャーに大別され、後者は着用の快適性に優れるため、徐々に市場の主流を占めてきた。着用したときに胸部をできるだけ引き上げるために、ブラジャーのカップの内部に柔らかいスポンジをパッドとして用いるのが一般的であり、ストラップで引き上げることにより胸部全体を上へ牽引する効果を果たす。近年、シームレス接着式ブラジャーは徐々にブラジャーの市場で販売されてきて、絹のようなフィット性に優れる生地、及び着用感に優れる着用エクスペリエンスのため、多くの女性の使用者により好まれている。
【０００３】
従来、着用感に優れる接着式ブラジャーは、通常、フリーカット生地（いずれの個所をカットしてもほつれない）、たとえばモダール生地をブラジャー生地として用い、このような生地は、伸縮性が比較的小さく、強く引っ張られると、変形しやすい。しかしながら、ブラジャーは、女性の胸部を支持する製品として、引っ張られたり、牽引したりすることがしばしば発生する。経時的に、生地は変形して、伸縮性を失い、ブラジャーが使用できなくなる。
【０００４】
伸縮性の大きい生地を用いると、フリーカット効果がなくなり、たとえば特許権者「江蘇▲テイ▼妃時装有限公司」、出願番号「２０１４２０３６０７２５．７」の中国実用新案特許には、カップ、ネックストラップ及びバックストラップを含み、前記カップの両側がバックストラップに接続され、カップの頂部がネックストラップに接続され、前記カップの縁部とバックストラップがともにゴムバンド構造であり、ネックストラップは両端がカップに接続されて、中央部が使用者のネックに掛けられるブラジャーが開示されている。このような緩みのある又は是弾性の大きい生地を用いた場合は、肌に直接接触するとき、自体の伸縮性のため、肌を引っ張る実感があり、着用性が悪い。
【考案の概要】
【考案が解決しようとする課題】
【０００５】
本考案の目的は、着用感に優れるブラジャー構造を提供して、上記背景技術に言及する問題を解決することにある。
【課題を解決するための手段】
【０００６】
上記目的を達成させるために、本考案は下記技術案を提供する。
【０００７】
着用感に優れるブラジャー構造であって、外から内へ順次外層生地、弾性生地、内層生地、外層生地を有する三層構造に分けられ、外層生地は、外層カップ連結部で離間されている２つの外層カップを有し、弾性生地は、中間層カップ連結部で離間されている２つの中間層カップを有し、内層生地は、内層カップ連結部で離間されている２つの内層カップを有し、外層カップ連結部が接着剤で中間層カップ連結部の上方に接続され、中間層カップ連結部の下方が接着剤で内層カップ連結部に接続され、外層カップのエッジ部が接着剤で中間層カップのエッジ部の上表面に接続され、中間層カップのエッジ部の下表面が接着剤で内層カップのエッジ部に接続される。
【０００８】
本考案では、革新的に三層構造の技術案を用い、内層生地と外層生地の中間に弾性生地が増設されており、弾性生地は、カップ連結部とカップのエッジ部だけでそれぞれ内層生地、外層生地に接続され、カップの中間部位では三層の生地が互いに独立するため、互いに引っ張ったりすることがなく、そのうちの１つのカップを例にすれば、カップのエッジとカップ連結部が弾性生地の２つの支点になり、弾性生地自体の弾性により、自体が周辺から中央部への推力を発生させて、カップの中央部では内への推力を発生させ、胸部をカップに包むと、弾性生地は変形して支持作用を果たし、中間層の引張りと収縮により優れた引き上げ効果を奏し、肌に直接接触しないため、肌への不快さを防止するとともに、高い引き上げ効果を有し、内層生地はほぼ力を受けないため、変形したりすることがなく、内層生地としてフリーカット生地を用いた場合、「着用感に優れる」を実現するとともに、フリーカット生地の引張り、牽引による変形を防止し、ブラジャーの耐用年数を延ばす。
【０００９】
本考案のさらなる改良として、前記外層生地は、保形性装飾生地を用いることで、美観性を向上させる。
【００１０】
本考案のさらなる改良として、前記外層生地、内層生地はともにフリーカット生地を用いることで、肌に接触するときの快適性を向上させる。
【００１１】
本考案のさらなる改良として、前記弾性生地には、複数の通気孔が密に分布しており、このように、良好な通気性を保証すると同時に、弾性生地の力を受けたときの均一性を向上させ、それによりブラジャーの耐用年数を延ばす。
【考案の効果】
【００１２】
本考案による着用感に優れるブラジャー構造は、弾性ブラジャーの快適性が悪いという問題及びフリーカット生地製ブラジャーが外力に弱くて変形しやすいという問題を同時に解決し、フリーカット生地製のブラジャーのために技術的サポートを提供し、ブラジャーの耐用年数を延ばして、着用快適性を向上させる。
【図面の簡単な説明】
【００１３】
【図１】本考案による着用感に優れるブラジャー構造の分解構造の模式図である。
【図２】本考案による着用感に優れるブラジャー構造の断面構造の模式図である。
【図３】図２におけるA部分の構造の拡大図である。
【考案を実施するための形態】
【００１４】
以下、本考案の実施例の図面を参照しながら、本考案の実施例における技術案を明瞭且つ完全に説明するが、勿論、説明する実施例は本考案の実施例の一部に過ぎず、すべての実施例ではない。本考案の実施例に基づいて、当業者が創造的な努力を必要とせずに想到し得るすべてのその他の実施例は、本考案の保護範囲に属する。
【００１５】
図１−３に示されるように、着用感に優れるブラジャー構造は、外から内へ順次外層生地１、弾性生地２、内層生地４を有する三層構造に分けられ、外層生地１は、外層カップ連結部１２で離間されている２つの外層カップ１１を有し、弾性生地２は、中間層カップ連結部２２で離間されている２つの中間層カップ２１を有し、内層生地４は、内層カップ連結部４２で離間されている２つの内層カップ４１を有し、外層カップ連結部１２が接着剤３で中間層カップ連結部２２の上方に接続され、中間層カップ連結部２２の下方が接着剤３で内層カップ連結部４２に接続され、外層カップのエッジ部１３が接着剤３で中間層カップのエッジ部２３の上表面に接続され、中間層カップのエッジ部２３の下表面が接着剤３で内層カップのエッジ部４３に接続される。
【００１６】
本考案では、革新的に三層構造の技術案を用い、内層生地４と外層生地１の中間に弾性生地２が増設されており、弾性生地２は、カップ連結部とカップのエッジ部だけでそれぞれ内層生地４、外層生地１に接続され、カップの中間部位では三層の生地が互いに独立するため、互いに引っ張ったりすることがなく、そのうちの１つのカップを例にすれば、カップのエッジとカップ連結部が弾性生地２の２つの支点になり、弾性生地２自体の弾性により、自体が周辺から中央部への推力を発生させて、カップの中央部では内への推力を発生させ、胸部をカップに包むと、弾性生地２は変形して支持作用を果たし、中間層の引張りと収縮により優れた引き上げ効果を奏し、肌に直接接触しないため、肌への不快さを防止するとともに、高い引き上げ効果を有し、内層生地はほぼ力を受けないため、変形したりすることがなく、内層生地としてフリーカット生地を用いた場合、「着用感に優れる」を実現するとともに、フリーカット生地の引張り、牽引による変形を防止し、ブラジャーの耐用年数を延ばす。
【００１７】
本考案のさらなる改良として、前記外層生地１は、保形性装飾生地を用いることで、美観性を向上させる。
【００１８】
本考案のさらなる改良として、前記外層生地１、内層生地４はともにフリーカット生地を用いることで、肌に接触するときの快適性を向上させる。
【００１９】
本考案のさらなる改良として、前記弾性生地２には、複数の通気孔２４が密に分布しており、このように、良好な通気性を確保するとともに、弾性生地２が力を受けたときの均一性を向上させ、それによりブラジャーの耐用年数を延ばす。
【００２０】
本考案による着用感に優れるブラジャー構造は、弾性ブラジャーの快適性が悪いという問題及びフリーカット生地製のブラジャーが外力に弱くて変形しやすいという問題を同時に解決し、フリーカット生地製のブラジャーのために技術的サポートを提供し、ブラジャーの耐用年数を延ばして、着用快適性を向上させる。
【００２１】
以上は、当業者が本考案を理解して実現できるようにする本考案の実施形態に過ぎない。これら実施例に対する複数種の修正は当業者にとって自明なことであり、本明細書で定義された一般的な原理は、本考案の精神又は範囲を逸脱しない限り、ほかの実施例によっても実現できる。従って、本考案は、本明細書に示されているこれら実施例に制限されず、本明細書に開示されている原理及び新規な特徴と合致する最も広い範囲である。
【図１】
0003219437.tif 000003
【図２】
0003219437.tif 000004
【図３】
0003219437.tif 000005
【手続補正書】
【提出日】平成30年10月24日(2018.10.24)
【手続補正１】
【補正対象書類名】実用新案登録請求の範囲
【補正対象項目名】全文
【補正方法】変更
【補正の内容】
【実用新案登録請求の範囲】
【請求項１】
着用感に優れるブラジャー構造であって、
外から内へ順次外層生地、弾性生地、内層生地を有する三層構造に分けられ、外層生地は、外層カップ連結部で離間されている２つの外層カップを有し、弾性生地は、中間層カップ連結部で離間されている２つの中間層カップを有し、内層生地は、内層カップ連結部で離間されている２つの内層カップを有し、外層カップ連結部が接着剤で中間層カップ連結部の上方に接続され、中間層カップ連結部の下方が接着剤で内層カップ連結部に接続され、外層カップのエッジ部が接着剤で中間層カップのエッジ部の上表面に接続され、中間層カップのエッジ部の下表面が接着剤で内層カップのエッジ部に接続されることを特徴とするブラジャー構造。
【請求項２】
前記外層生地は、保形性装飾生地を用いることを特徴とする請求項１に記載の着用感に優れるブラジャー構造。
【請求項３】
前記外層生地、内層生地はともにフリーカット生地を用いることを特徴とする請求項１に記載の着用感に優れるブラジャー構造。
【請求項４】
前記弾性生地には、複数の通気孔が密に分布していることを特徴とする請求項１に記載の着用感に優れるブラジャー構造。